【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
力およびモーメントを複数の方向に伝達するためのロードセル本体（１０；１０’）であって、前記ロードセル本体（１０；１０’）は、
第１の部材（２０）と、
複数の開口（４０、５０、７０）を有する第２の部材（２４）であって、前記第１の部材（２０）の複数の部分の一部は、各開口（４０、５０、７０）の中に延在する、第２の部材（２４）と、
前記第１の部材（２０）の各部分および前記第２の部材（２４）の対応する開口（４０、５０、７０）のための複数の対の支持柱（４４、６４、８４）であって、各対の支持柱（４４、６４、８４）は、前記第１の部材（２０）の対応する部分を前記第２の部材（２４）に接続する、複数の対の支持柱（４４、６４、８４）と
を備え、
各対の支持柱は、第１の支持柱（４４Ａ、６４Ａ、８４Ａ）と第２の支持柱（４４Ｂ、６４Ｂ、８４Ｂ）とを備え、各対の支持柱（４４、６４、８４）の前記第１の支持柱（４４Ａ、６４Ａ、８４Ａ）および前記第２の支持柱（４４Ｂ、６４Ｂ、８４Ｂ）の縦軸は、共通軸に沿って整合されており、
前記複数の対の支持柱は、
相互に平行な関連付けられた共通軸を有する第１の対の支持柱のセット（４４，６４、８４）と、
相互に平行な関連付けられた共通軸を有し、前記第１の対の支持柱のセット（４４）の共通軸に直交する、第２の対の支持柱のセット（６４、８４）と
相互に平行な関連付けられた共通軸を有し、前記第１の対の支持柱のセット（４４）の共通軸に直交し、かつ前記第２の対の支持柱のセット（６４）の共通軸に直交する、第３の対の支持柱のセット（４４、６４、８４）と
を備えることを特徴とする、ロードセル本体（１０；１０’）。
【請求項２】
各対の支持柱の前記第１の支持柱（４４Ａ、６４Ａ、８４Ａ）は、前記第１の部材（２０）の第１の側を前記第２の部材（２４）に接続し、各対の支持柱の前記第２の支持柱（４４Ｂ、６４Ｂ、８４Ｂ）は、前記第１の部材（２０）の第２の側を前記第２の部材（２４）に接続し、前記第１の部材（２０）の第２の側は、前記第１の部材（２０）の第１の側の反対にある、請求項１に記載のロードセル本体（１０；１０’）。
【請求項３】
前記第２の部材（２４）が、第１の周界部分（３０）および第２の周界部分（３２）と、前記第１の周界部分（３０）から前記第２の周界部分（３２）まで延在する空洞（３１）とを有することと、
前記第１の部材（２０）が、前記第１の周界部分（３０）と前記第２の周界部分（３２）との間の前記空洞（３１）内に配置され、各対の支持柱（４４、６４、８４）の支持柱（４４、６４、８４）が、前記第１の部材（２０）から対向方向に延在する、ことと
をさらに備える、請求項１に記載のロードセル本体（１０；１０’）。
【請求項４】
前記第１の支持柱のセット（４４）の共通軸は、第１の支持部材（２０）の中心を通して延在する基準軸を中心として等角間隔で配置されており、および／または、
前記第２の支持柱のセット（６４、８４）の共通軸は、第１の支持部材（２０）の中心を通して延在する基準軸を中心として等角間隔で配置されており、および／または、
前記第３の支持柱のセット（６４、８４）の共通軸は、第１の支持部材（２０）の中心を通して延在する基準軸を中心として等角間隔で配置されている、前記請求項のいずれか１項に記載のロードセル本体（１０；１０’）。
【請求項５】
前記第２の支持柱のセット（６４）の各対の支持柱は、前記第１のセット（４４）の隣接する対の支持柱間に配置されている、請求項４に記載のロードセル本体。
【請求項６】
前記第３の支持柱のセット（８４）の各対の支持柱は、前記第１のセット（４４）の隣接する対の支持柱間に配置されている、請求項５に記載のロードセル本体（１０；１０’）。
【請求項７】
前記第１の部材（２０）は、プレート（２０）を備える、前記請求項のいずれか１項に記載のロードセル本体（１０；１０’）。
【請求項８】
前記第２の部材（２４）は、硬性の第１の周界部分（３０）および第２の周界部分（３２）と、前記第１の周界部分（３０）と前記第２の周界部分（３２）との間に延在する少なくとも１つの支持体（３４；６６）とを有する構造を備える、請求項１−７のいずれか１項に記載のロードセル本体（１０；１０’）。
【請求項９】
前記少なくとも１つの支持体（３４；６６）は、少なくとも３つの支持体を備え、さらなる実施形態において、各角は、開口（４０）を含む、請求項８に記載のロードセル本体（１０；１０’）。
【請求項１０】
各支持体は、各角開口（４０）から離間される開口（５０、７０）を有する壁を備え、および／または、前記支持柱（３４；６６）は、同一形状である、請求項９に記載のロードセル本体（１０）。
【請求項１１】
前記第１の部材（２０）の各部分は、反対方向に面する、第１の側および第２の側を含み、前記各対の支持柱の第１の支持柱（４４Ａ、６４Ａ、８４Ａ）は、前記第１の部材（２０）の各部分の第１の側から延在し、前記第２の部材（２４）に接続され、前記各対の支持柱の第２の支持柱（４４Ｂ）は、前記第１の部材（２０）の部分の第２の側から前記第１の支持柱（４４Ａ、６４Ｂ、８４Ｂ）と反対方向に延在し、前記第２の部材（２４）に接続される、前記請求項のいずれか１項に記載のロードセル本体（１０；１０’）。
【請求項１２】
前記第１の部材（２０）の部分のうちの少なくともいくつかの反対に面する表面は、相互から離れるように面し、または、前記第１の部材（２０）の部分のうちの少なくともいくつかの反対に面する表面は、相互に向かって面する、前記請求項のいずれか１項に記載のロードセル本体（１０；１０’）。
【請求項１３】
前記第１の部材（２０）、前記第２の部材（２４）、および前記複数の柱（４４、６４、８４）は、単一の一体型本体から形成されている一体型アセンブリである、前記請求項のいずれか１項に記載のロードセル本体（１０；１０’）。
【手続補正２】
【補正対象書類名】明細書
【補正対象項目名】００１２
【補正方法】変更
【補正の内容】
【００１２】
第１の部材の各部分は、反対方向に面する、第１の側および第２の側を含む。各対の支持柱の第１の支持柱は、第１の部材の各部分の第１の側から延在し、第２の部材に接続される。各対の支持柱の第２の支持柱は、第１の部材の部分の第２の側から第１の支持柱と反対方向に延在し、第２の部材に接続される。支持柱は、同一形状である。第１の部材の部分のうちの少なくともいくつかの反対に面する表面は、相互から離れるように面する。別の実施形態では、第１の部材の部分のうちの少なくともいくつかの反対に面する表面は、相互に向かって面する。構成要素の配列に起因して、第１の部材、第２の部材、および複数の柱は、標準的機械加工技法を使用して単一の一体型本体から形成される、一体型アセンブリであることができる。
本願明細書は、例えば、以下の項目も提供する。
（項目１）
力およびモーメントを複数の方向に伝達するためのロードセル本体（１０；１０’）であって、前記ロードセル本体（１０；１０’）は、
第１の部材（２０）と、
複数の開口（４０、５０、７０）を有する第２の部材（２４）であって、前記第１の部材（２０）の複数の部分の一部は、各開口（４０、５０、７０）の中に延在する、第２の部材（２４）と、
前記第１の部材（２０）の各部分および前記第２の部材（２４）の対応する開口（４０、５０、７０）のための複数の対の支持柱（４４、６４、８４）であって、各対の支持柱（４４、６４、８４）は、前記第１の部材（２０）の対応する部分を前記第２の部材（２４）に接続する、複数の対の支持柱（４４、６４、８４）と
を備える、ロードセル本体（１０；１０’）。
（項目２）
力およびモーメントを複数の方向に伝達するためのロードセル本体（１０；１０’）であって、前記ロードセル本体（１０；１０’）は、
第１の部材（２０）と、
第２の部材（２４）と、
前記第１の部材（２０）を前記第２の部材（２４）に接続する複数の対の支持柱（４４、６４、８４）であって、各対の支持柱（４４、６４、８４）は、前記第１の部材（２０）の第１の側を前記第２の部材（２４）に接続する第１の支持柱（４４Ａ、６４Ａ、８４Ａ）と、前記第１の部材（２０）の第２の側を前記第２の部材（２４）に接続する第２の支持柱（４４Ｂ、６４Ｂ、８４Ｂ）とを備え、前記第１の部材（２０）の第２の側は、前記第１の部材（２０）の第１の側の反対にある、複数の対の支持柱（４４、６４、８４）と
を備える、ロードセル本体（１０；１０’）。
（項目３）
力およびモーメントを複数の方向に伝達するためのロードセル本体（１０；１０’）であって、前記ロードセル本体（１０；１０’）は、
第１の部材（２０）と、
第１の周界部分（３０）および第２の周界部分（３２）と、前記第１の周界部分（３０）から前記第２の周界部分（３２）まで延在する空洞（３１）とを有する第２の部材（２４）と、
前記第１の部材（２０）を前記第２の部材（２４）に接続する複数の対の支持柱（４４、６４、８４）であって、前記第１の部材（２０）は、前記第１の周界部分（３０）と前記第２の周界部分（３２）との間の前記空洞（３１）内に配置され、各対の支持柱（４４、６４、８４）の支持柱（４４、６４、８４）は、前記第１の部材（２０）から対向方向に延在する、複数の対の支持柱（４４、６４、８４）と
を備える、ロードセル本体（１０；１０’）。
（項目４）
各対の支持柱（４４、６４、８４）の第１の支持柱（４４Ａ、６４Ａ、８４Ａ）および第２の支持柱（４４Ｂ、６４Ｂ、８４Ｂ）の縦軸は、共通軸に沿って整合されている、前記項目のいずれかに記載のロードセル本体（１０；１０’）。
（項目５）
前記複数の対の支持柱は、
相互に平行な関連付けられた共通軸を有する第１の対の支持柱のセット（４４，６４、８４）と、
相互に平行な関連付けられた共通軸を有し、前記第１の対の支持柱のセット（４４）の共通軸に直交する、第２の対の支持柱のセット（６４、８４）と
を備える、項目４に記載のロードセル本体（１０；１０’）。
（項目６）
前記複数の対の支持柱は、相互に平行な関連付けられた共通軸を有し、前記第１の対の支持柱のセット（４４）の共通軸に直交し、かつ前記第２の対の支持柱のセット（６４）の共通軸に直交する、第３の対の支持柱のセット（４４、６４、８４）を備える、項目５に記載のロードセル本体。
（項目７）
前記第１の支持柱のセット（４４）の共通軸は、第１の支持部材（２０）の中心を通して延在する基準軸を中心として等角間隔で配置されている、項目４−６のいずれか１項に記載のロードセル本体（１０；１０’）。
（項目８）
前記第２の支持柱のセット（６４、８４）の共通軸は、第１の支持部材（２０）の中心を通して延在する基準軸を中心として等角間隔で配置されている、項目５−７のいずれか１項に記載のロードセル本体（１０；１０’）。
（項目９）
前記第３の支持柱のセット（６４、８４）の共通軸は、第１の支持部材（２０）の中心を通して延在する基準軸を中心として等角間隔で配置されている、項目６−８のいずれか１項に記載のロードセル本体（１０；１０’）。
（項目１０）
前記第２の支持柱のセット（６４）の各対の支持柱は、前記第１のセット（４４）の隣接する対の支持柱間に配置されている、項目８または９のいずれか１項に記載のロードセル本体。
（項目１１）
前記第３の支持柱のセット（８４）の各対の支持柱は、前記第１のセット（４４）の隣接する対の支持柱間に配置されている、項目９または１０のいずれか１項に記載のロードセル本体（１０；１０’）。
（項目１２）
前記第１の部材（２０）は、プレート（２０）を備える、前記項目のいずれか１項に記載のロードセル本体（１０；１０’）。
（項目１３）
前記第２の部材（２４）は、硬性の第１の周界部分（３０）および第２の周界部分（３２）と、前記第１の周界部分（３０）と前記第２の周界部分（３２）との間に延在する少なくとも１つの支持体（３４；６６）とを有する構造を備える、項目１または４−１２のいずれか１項に記載のロードセル本体（１０；１０’）。
（項目１４）
前記少なくとも１つの支持体（３４；６６）は、少なくとも３つの支持体を備える、項目１３に記載のロードセル本体（１０；１０’）。
（項目１５）
各角は、開口（４０）を含む、項目１４に記載のロードセル本体（１０；１０’）。
（項目１６）
各支持体は、各角開口（４０）から離間される開口（５０、７０）を有する壁を備える、項目１５に記載のロードセル本体（１０）。
（項目１７）
前記第１の部材（２０）の各部分は、反対方向に面する、第１の側および第２の側を含み、前記各対の支持柱の第１の支持柱（４４Ａ、６４Ａ、８４Ａ）は、前記第１の部材（２０）の各部分の第１の側から延在し、前記第２の部材（２４）に接続され、前記各対の支持柱の第２の支持柱（４４Ｂ）は、前記第１の部材（２０）の部分の第２の側から前記第１の支持柱（４４Ａ、６４Ｂ、８４Ｂ）と反対方向に延在し、前記第２の部材（２４）に接続される、前記項目のいずれか１項に記載のロードセル本体（１０；１０’）。
（項目１８）
前記支持柱（３４；６６）は、同一形状である、前記項目のいずれか１項に記載のロードセル本体（１０；１０’）。
（項目１９）
前記第１の部材（２０）の部分のうちの少なくともいくつかの反対に面する表面は、相互から離れるように面する、前記項目のいずれか１項に記載のロードセル本体（１０；１０’）。
（項目２０）
前記第１の部材（２０）の部分のうちの少なくともいくつかの反対に面する表面は、相互に向かって面する、前記項目のいずれか１項に記載のロードセル本体（１０；１０’）。
（項目２１）
前記第１の部材（２０）、前記第２の部材（２４）、および前記複数の柱（４４、６４、８４）は、単一の一体型本体から形成されている一体型アセンブリである、前記項目のいずれか１項に記載のロードセル本体（１０；１０’）。
【手続補正３】
【補正対象書類名】図面
【補正対象項目名】図９
【補正方法】変更
【補正の内容】
【図９】
2018518663.tif 000001
【手続補正４】
【補正対象書類名】図面
【補正対象項目名】図１０
【補正方法】変更
【補正の内容】
【図１０】
2018518663.tif 000002